(57)【特許請求の範囲】
【請求項１】
自動車（２０）のフード（１０）に近接して連結される車体のフェンダー（１）であって、上記フェンダー（１）は、上記フード（１０）が閉鎖位置にあるときに、上記フード（１０）の対応する側方の縁（１１）と上記フェンダー（１）の上部（４）との間に存在する間隔（３）に対向して伸びる内側の縁（２）を有する車体のフェンダーにおいて、
上記内側の縁（２）は、上記フェンダー（１）に沿う突起した縁であり、
上記内側の縁（２）は、固有の剛性が上記フェンダー（１）の他の部分よりも低い、少なくとも１つの変形領域を有し、
少なくとも１つの上記変形領域は、上記内側の縁（２）と上記フェンダー（１）とを連結する領域に配置され、
各上記変形領域は、上記内側の縁（２）の概ね全長及び全幅に亘って伸び、
上記内側の縁（２）の全体が、上記フェンダー（１）の他の部分よりも低い固有の剛性を有し、
かつ、少なくとも１つの上記変形領域が、上記フェンダー（１）の他の部分よりも薄い厚さを有する構成か、少なくとも１つの上記変形領域の固有の剛性が、上記フェンダー（１）の他の部分を構成する材料よりも低い材料からなる構成の、少なくとも一方の構成を有することを特徴とする、車体のフェンダー。
【請求項２】
少なくとも１つの上記変形領域は、少なくとも１つの破壊の端緒部分を有することを特徴とする、請求項１に記載の車体のフェンダー。
【請求項３】
請求項１または２に記載の車体のフェンダーを、少なくとも１つ有することを特徴とする自動車。
【発明の詳細な説明】
【技術分野】
【０００１】
本発明は、自動車の車体のフェンダー及び自動車に関する。
【背景技術】
【０００２】
自動車の車体は、一般に、車台を形成するリジッドな構造に連結される複数の別々の部品から構成される。これらの部品の中で、特に自動車の前輪を覆って取り囲むための２つの前フェンダーに着目する。  
自動車の前フェンダーは、その機能のために、通常、エンジンのフードの両側の側面に設けられる。美観上の目的で、フードの横の端は、一般に、対応するフェンダーの上部に対して概ね連続するように配置される。勿論、フードを横軸の周りに回動させて、エンジンコンパートメントの中へアクセスできるように、フードの横の端は、前フェンダーに固定されることはない。その結果、フードの横の各端と対応するフェンダーの上部との間に、無視できない空間が存在する。  
実際には、主として美観上、特に感覚的な質の理由から、エンジンのフードとフェンダーの間に存在する間隔は、外部からエンジンコンパートメントの内部が見えないような間隔にすることが特に有利であることは明らかである。また、フードを閉めたときに、フェンダーの上部を、フェンダーの上の内側の各端が、問題の間隔に対向して伸びる大きさに合致させるように形成することがこの分野で知られている。フードの横の各端と対応するフェンダーの上部との間に存在する空間は、このようにして内側から有利に塞がれる。
【０００３】
しかしながら、このような車体のフェンダーは、歩行者と自動車の前方衝突の際における、歩行者の保護に関する新しい規格に合致しないという問題がある。この規格は、被害者の身体の障害のリスクを回避するために、エンジンのフードが衝突時の衝撃の緩和を可能にするように、上下方向に変形することが必要であるとしている。
【０００４】
実際、このようなフードは、衝突の際に衝撃を吸収するために、垂直方向に降下するように下準備される。このフードは、実際に、フェンダーの上部の間を、その側方の縁がフェンダーの内側の縁と接触するようになるまで漸進的に沈み込む。しかし、内側の縁は、フェンダーと一体の部分をなすので、構造的な剛性を有し、フードの側方の縁から圧力を受けても側方へ引っ込むことはない。従って、フードはフェンダーの内側の縁に支持されるようになり、フェンダーとそれらの支持部材に固有の剛性が作用するようになるという有害な結果が生じる。そこで、フードの上下方向の移動は急激に妨げられ、その結果、衝撃緩和容量、従ってこのような装置の有効性が非常に限られたものとみなされるということになる。
【０００５】
この問題を解決するために、各フェンダーの上部を、変形可能な支持部材の上に固定することが考えられた。しかしながら、変形する部材の剛性を小さくしても、装置の抵抗は大きいままであることが明らかとなった。また、用いられた原理は、実際にはフェンダーの無視できない変形をもたらした。
【発明の開示】
【発明が解決しようとする課題】
【０００６】
従って、本発明の対象によって解決するべき技術的課題は、自動車のフードに近接して連結される車体のフェンダーであって、上記フェンダーは、上記フードが閉鎖位置にあるときに、上記フードの対応する側方の縁と上記フェンダーの上部との間に存在する間隔に対向して伸びる内側の縁を有する車体のフェンダーにおいて、特に上記フードに充分な垂直方向の移動量を保証することによって、従来技術の問題を回避することを可能にする車体のフェンダーを提供することにある。
【課題を解決するための手段】
【０００７】
上記課題を解決するために、本発明は、自動車のフードに近接して連結される車体のフェンダーであって、上記フェンダーは、上記フードが閉鎖位置にあるときに、上記フードの対応する側方の縁と上記フェンダーの上部との間に存在する間隔に対向して伸びる内側の縁を有する車体のフェンダーにおいて、
上記内側の縁は、上記フェンダーに沿う突起した縁であり、上記内側の縁は、固有の剛性が上記フェンダーの他の部分よりも低い、少なくとも１つの変形領域を有し、少なくとも１つの上記変形領域は、上記内側の縁と上記フェンダーとを連結する領域に配置され、
各上記変形領域は、上記内側の縁の概ね全長及び全幅に亘って伸び、
上記内側の縁の全体が、上記フェンダーの他の部分よりも低い固有の剛性を有し、
かつ、少なくとも１つの上記変形領域が、上記フェンダーの他の部分よりも薄い厚さを有する構成か、少なくとも１つの上記変形領域の固有の剛性が、上記フェンダーの他の部分を構成する材料よりも低い材料からなる構成の、少なくとも一方の構成を有することを特徴とする。
【発明の効果】
【０００８】
このように定義された本発明は、フードの降下の際に、フェンダーの他の部分に対して、内側の縁が優先的に変形することを可能にするという利点を有する。従って、内側の縁は、フードの対応する側方の縁が充分な圧力を作用させる際に、有利に引込む。従って、フードの降下は、内側の縁を超えて続行することができ、その結果、フードの垂直方向の移動量と、その結果の衝撃吸収容量は、最適であるとみなされることができる。
【０００９】
フードの垂直方向の移動が、フェンダーの剛性と関係なく実行されることは特に有利である。内側の縁は、自動車の受動的な安全性に貢献される車体の幾つかの部材と同様に、このために計画された正確な変形領域を構成する。
【発明を実施するための最良の形態】
【００１０】
本発明は、以下の説明によって明らかとなる特長にも関し、個別または技術的に可能なあらゆる組み合わせに従って考察されるべきである。  
添付図面を参照する、非限定的な例として示されるこの説明によって、本発明が実施可能なように、よりよく理解されるであろう。これらの図において：
図１は、本発明に合致する車体のフェンダーの、図式的な、内側から見た斜視図である。  
図２は、図１の円で囲んだ部分を詳細に示す。  
図３は、衝突の瞬間における、自動車の前側方を、部分的かつ図式的に示し、この自動車は、図１に示すものと同一のフェンダーを有している。  
図４は、フードが、垂直方向の降下の第１過程にある場合を示す、図３に類似の図である。  
図５は、フードが、垂直方向の降下の第２過程にある場合を示す、図３に類似の図である。  
図６は、フードが、垂直方向の降下の第３過程にある場合を示す、図３に類似の図である。
【００１１】
これらの図において、簡明化のために、同一の部品には同一の符号を付け、また、本発明の理解のために不可欠な部品のみを、縮尺は無視して図式的に示した。
【００１２】
図１〜６は、自動車２０のフード１０に近接して配置される、車体のフェンダー１を表す。フェンダー１は内側の縁２を有する。内側の縁２は、フード１０が閉鎖位置にあるとき（図３）に、フード１０の対応する側方の縁１１とフェンダー１の上部４との間に存在する間隔３に対向して伸びるように形成されている。
【００１３】
本発明の目的に従って、内側の縁２は、固有の剛性がフェンダー１の他の部分よりも低い、少なくとも１つの変形領域を有する。
【００１４】
特に少なくとも１つの変形領域は、内側の縁２とフェンダー１とを連結する領域に配置される。従って、内側の縁２は、内側の縁２とフェンダー１とを連結する領域を概ね通る軸の周りに、下に向かって回動するように形成される。この結果、内側の縁２は、略全体が引っ込むようになる。
【００１５】
本発明の特徴によれば、各変形領域は、内側の縁２の概ね全長に亘って伸びる。この特徴は、内側の縁２が、その全長に亘って均一に連続して側方に変形することを可能にする。
【００１６】
本発明の他の１つの特徴によれば、各変形領域は、内側の縁２の概ね全幅に亘って伸びる。この特徴は、内側の縁２に、考慮対象の変形領域の全幅に亘って変形する能力を付与する。
【００１７】
上述の２つの特徴を組み合わせることによって、全表面がフェンダー１の他の部分よりも低い固有の剛性を有する内側の縁２を有利に設けることも可能である。
【００１８】
勿論、内側の縁２に、フェンダー１の他の部分よりも低い固有の剛性を付与するために、従来から知られているあらゆる技術を、本発明の枠内において使用することができる。
【００１９】
このようにして、本発明の第１の実施の形態によれば、変形領域は、フェンダー１の他の部分よりも薄い厚さを有する。
【００２０】
しかしながら、本発明の第２の実施の形態によれば、変形領域は、固有の剛性が、フェンダー１の他の部分を構成する材料の合成よりも低い材料によって構成することも可能である。
【００２１】
最後に、本発明の第３の実施の形態によれば、変形領域は、その他に、少なくとも１つの破壊の端緒部分を有することができる。
【００２２】
図３は、衝突の前の、特にフェンダー１に対するフード１０の配置を表す。この図においては、衝突は、フード１０の近くの打痕が付けられた部材３０によって示されている。フード１０の側方の縁１１は、フェンダー１の上部４に対して、概ね連続して位置決めされている。内側の縁２は、フード１０の側方の縁１１とフェンダー１の上部４との間に存在する間隔３の下を伸びている。従って、内側の縁２は、外部からエンジンコンパートメントの内部を全く見えないようにする大きさにされている。
【００２３】
図４に示すように、実際の衝突の瞬間に、衝撃を吸収するためにフード１０は垂直方向に降下を開始する。従って、フード１０はフェンダー１の上部４の間に漸進的に入り込み始める。
【００２４】
図５に示すように、各側方の縁１１が対応する内側の縁２と接触するようなると、内側の縁２は、フード１０の通過を可能にするように充分に引込む迄、下に向けて回動するようになる。内側の縁２は、固有の剛性がフェンダー１の他の部分よりも低いので、フェンダー１の他の部分に対して優先的に有利に変形する。
【００２５】
フード１０の降下は、図６に示すように続行する。フード１０の垂直方向の移動量と、その結果の衝撃吸収容量は、このようにして最適化される。
【００２６】
勿論、本発明は、上述のような、車体の少なくとも１つのフェンダー１を有する自動車２０にも関する。自動車２０の概念は、ここでは、エンジンの形式に関係なく、また車両の大きさや重量に関係なく、エンジンを有するあらゆる車両、すなわちエンジンによって自身を前進させることが可能なあらゆる走行装置に関するものである。従って、自動車は、例えば、乗用車、トラック、バスを意味してもよい。
【図１】
0004521281.tif 000002
【図２】
0004521281.tif 000003
【図３】
0004521281.tif 000004
【図４】
0004521281.tif 000005
【図５】
0004521281.tif 000006
【図６】
0004521281.tif 000007